(57)【特許請求の範囲】
【請求項１】
局側通信装置と加入者側通信装置とを接続する光伝送路の通信品質を検出する光伝送路品質検出部と、
前記光伝送路品質検出部により検出された通信品質に基づいて前記光伝送路における光信号の変調方式を選定する変調方式選定部と、
前記変調方式選定部により選定された変調方式を用いて前記局側通信装置と加入者側通信装置との通信における光信号を変調する光変調部と、
前記変調方式選定部で選定された変調方式に基づいて前記加入者側通信装置からの通信における帯域を割り当てる帯域割当部と、を備えた光通信システムであって、
前記加入者側通信装置は、
前記局側通信装置への通信に関する前記加入者側通信装置におけるデータ滞留情報を計測し、
前記計測結果に基づいて変調方式を変更するか否かを判断し、
前記判断結果に基づいて変更要求信号を生成し、この生成した変更要求信号を前記局側通信装置に対して送信し、
前記局側通信装置は、
前記加入者側通信装置から送信された変更要求信号および前記通信品質に基づいて変調方式を選定し、この選定した変調方式に基づいて前記加入者側通信装置に帯域を割り当てる、
ことを特徴とする光通信システム。
【請求項２】
前記光変調部は、前記光伝送路における光信号の強度、周波数、および位相の少なくとも１つについて多値変調を行うことを特徴とする請求項１に記載の光通信システム。
【請求項３】
前記光伝送路品質検出部は、前記光伝送路におけるＢＥＲ（Ｂｉｔ  Ｅｒｒｏｒ  Ｒａｔｅ）に基づいて、前記光伝送路の通信品質を検出することを特徴とする請求項１または２に記載の光通信システム。
【請求項４】
前記光伝送路における光信号に、誤り訂正符号化を行うＦＥＣ（Ｆｏｒｗａｒｄ  Ｅｒｒｏｒ  Ｃｏｒｒｅｃｔｉｏｎ）符号化部と、
前記ＦＥＣ符号化部により誤り訂正符号化された光信号を復号するＦＥＣ復号部と、
を備え、
前記光伝送路品質検出部は、前記ＦＥＣ復号部において復号を行う際の誤り訂正数に基づいて前記光伝送路の通信品質を検出すること、
を特徴とする請求項１〜３のいずれか１項に記載の光通信システム。
【請求項５】
前記局側通信装置に設けられ、前記変調方式選定部により選定された変調方式を前記加入者側通信装置に通知する変調方式通知部を備え、
前記光変調部は、前記加入者側通信装置に設けられ、前記変調方式通知部により通知された変調方式を用いて、前記局側通信装置と加入者側通信装置との通信における光信号を変調すること、
を特徴とする請求項１〜４のいずれか１項に記載の光通信システム。
【請求項６】
前記加入者側通信装置の加入者契約内容であるＳＬＡ(Service Level Agreement)を記憶したＳＬＡ記憶部を備え、
前記帯域割当部は、前記ＳＬＡ記憶部に記憶されたＳＬＡに基づいて、前記加入者側通信装置からの通信に使用する帯域を割り当てることを特徴とすること、
を特徴とする請求項１〜５のいずれか１項に記載の光通信システム。
【発明の詳細な説明】
【技術分野】
【０００１】
この発明は、光変調された光信号を伝送する技術に関し、具体的には、光信号を伝送する光通信システム、そのシステムを構成する局側通信装置、加入者通信装置に適用可能な技術に関する。
【背景技術】
【０００２】
この種の光通信技術においては、近年、加入者と局舎間のアクセスネットワークを利用した多種多様な情報サービス（データ通信、音声通信、放送等）が提供されている。このような情報サービスの拡大に伴って、メタル回線を用いた伝送方式であるｘＤＳＬ(Digital Subscriber Line)に代わり、安価で、局舎から離れていても安定かつ広帯域な通信を実現したＰ２ＭＰ(Point-to-Multi Point)接続のＰＯＮ(Passive Optical Network)システムの利用が拡大している。
【０００３】
以下、説明の便宜上、ＰＯＮシステムを例にとって記述する。ＰＯＮシステムを利用した商用アクセスネットワークでは、局側通信装置（OLT，Optical Terminal Line）と加入者側通信装置（ONU，Optical Network Unit)との通信において、下り（OLT⇒ONU）ではＴＤＭ(Time Division Multiplexing)を、上り(ＯＮＵ⇒ＯＬＴ)にはＴＤＭＡ(Time Division Multiple Access)を適用し、１本の伝送路で双方向の信号波長分割多重（ＷＤＭ，Wave Division Multiplexing）したＧＥ−ＰＯＮのサービスが開始されている（例えば、非特許文献１参照）。また、高速ＴＤＭ技術を適用し、ＧＥ−ＰＯＮの１０倍のビットレートを持つ１０Ｇ−ＥＰＯＮの開発が進められている（例えば、非特許文献２参照）。
【０００４】
さらなる高速化のため、次世代アクセスネットワークにおいては、一本の伝送路について、上り・下りそれぞれに対して複数の波長を割当て、これらの波長に対応する光信号を多重化するＷＤＭ技術の併用が検討されている。しかし、ＷＤＭを併用する場合には、複数の波長の信号を多重化するため、増加した波長分の光源が必要となり、高速化は可能であるが、通信装置コストの上昇および複数光源による消費電量の上昇が問題となる。光源を増やすことなく高速化を実現する方法として、光符号分割多重アクセス（ＯＣＤＭＡ、Optical Code Division Multiplex Access)技術との併用が予想される（例えば、特許文献１参照）。位相変調を利用するＯＣＤＭＡでは、１つの光源で、従来の光の明滅による２値表現だけでなく、位相変調を利用した多値表現が可能であるため、一度により多くの情報を表現でき、光源を増やすことなく高速化が可能となる。
【先行技術文献】
【非特許文献】
【０００５】
【非特許文献１】“技術基礎講座［GE-PON技術］” 第一回  ＰＯＮとは、ＮＴＴ技術ジャーナル  ２００５．８、Ｐａｇｅ．７１−７４
【非特許文献２】可児淳一、鈴木謙一、”「次世代１０Ｇ級ＰＯＮシステムの標準化動向」”、ＮＴＴ技術ジャーナル  ２００９．９、Ｐａｇｅ．９０−９３
【特許文献】
【０００６】
【特許文献１】特開２００７−１０４４５３号公報（第４頁〜第８頁、図１）
【発明の概要】
【発明が解決しようとする課題】
【０００７】
しかし、多値位相符号化を用いた光通信においては、ＯＬＴとＯＮＵとを接続する伝送線路（光ファイバ）における雑音の影響を受けやすく、信号の波形劣化等により通信効率が落ちる場合がある。
【０００８】
この発明は、局側通信装置と加入者側通信装置とを接続する光伝送路の通信品質を検出し、検出した通信品質に基づいて、送信する光信号に対する光多値変調の多値化数を制御することで、光伝送路の通信品質に対応した適切な通信を行うことを目的とする。
【課題を解決するための手段】
【０００９】
この発明に係る光通信システムは、局側通信装置と加入者側通信装置とを接続する光伝送路の通信品質を検出する光伝送路品質検出部と、前記光伝送路品質検出部により検出された通信品質に基づいて、前記光伝送路における光信号の変調方式を選定する変調方式選定部と、前記変調方式選定部により選定された変調方式を用いて、前記局側通信装置と加入者側通信装置との通信における光信号を変調する光変調部と、前記変調方式選定部で選定された変調方式に基づいて前記加入者側通信装置からの通信における帯域を割り当てる帯域割当部と、を備えた光通信システムであって、前記加入者側通信装置は、前記局側通信装置への通信に関する前記加入者側通信装置におけるデータ滞留情報を計測し、前記計測結果に基づいて変調方式を変更するか否かを判断し、前記判断結果に基づいて変更要求信号を生成し、この生成した変更要求信号を前記局側通信装置に対して送信し、前記局側通信装置は、前記加入者側通信装置から送信された変更要求信号および前記通信品質に基づいて変調方式を選定し、この選定した変調方式に基づいて前記加入者側通信装置に帯域を割り当てる。
【発明の効果】
【００１２】
この発明によれば、局側通信装置と加入者側通信装置とを接続する光伝送路の通信品質に対応した適切な通信を行うことができる。
【図面の簡単な説明】
【００１３】
【図１】本発明の実施の形態１に示すＰＯＮシステム全体図である。
【図２】本発明の実施の形態１に示す局側通信装置（ＯＬＴ）内部構成図である。
【図３】本発明の実施の形態１に示す加入者側通信装置（ＯＮＵ）内部構成図である。
【図４】本発明の実施の形態１に示すＤｉｓｃｏｖｅｒｙ  Ｈａｎｄｓｈａｋｅメッセージ交換図である。
【図５】本発明の実施の形態１に示す変調方式判定・通知ユニットワークフロー図である。
【図６】本発明の実施の形態１に示すＯＰＲユニット処理ワークフロー図である。
【図７】本発明の実施の形態１に示す複数加入者側通信装置との受信光変調変更図である。
【図８】本発明の実施の形態１に示す上りバーストとＧｒａｎｔ  Ｓｔａｒｔ  ＴｉｍｅとＧｒａｎｔ  Ｌｅｎｇｔｈ関係図である。
【図９】本発明の実施の形態２に示す変調方式判定・通知ユニットワークフロー図である。
【発明を実施するための形態】
【００１４】
実施の形態１．
図１に、ＰＯＮシステムを例にとって、本発明の実施の形態１に係る光通信システムの全体図を示す。この光通信システムでは上り方向（ＯＮＵ⇒ＯＬＴ）の通信において、各加入者側通信装置は割当てられた帯域を用いて信号を送信する。また、各加入側通信装置からの信号には、例えば、ＯＣＤＭＡ（Optical Code Division Multiplex Access)方式を適用し、多値変調された信号を送信するものとする。ＯＣＤＭＡ方式ではなく、多値変調を行うものであればＷＤＭ等の他の通信方式を用いてもよく、これらの通信方式を併用する構成としてもよい。ここで、多値変調は通信に用いる光信号の強度（振幅）、位相、周波数のいずれか、または、これらを組み合わせて多値化することにより行う。例えば、この変調方式としては、ＱＰＳＫ(Quadrature Phase Shift Keying)やＱＡＭ(Quadrature Amplitude Modulation)等がある。また、ここではＰ２ＭＰ（Point-to-MultiPoint）構成のＰＯＮシステムを例として説明するが、Ｐ２ＭＰ構成のＰＯＮシステムだけに限定するものではない。
【００１５】
図１において、局舎１００内に設けられた局側通信装置１０１と一般家庭１１１やビル１１２内の設けられた加入者側通信装置１０２は、光伝送路を介して接続されており、コアネットワーク１０３とデータのやり取りを行う。光伝送路は、光ファイバー１０４、光スプリッター１０５から構成されており、その一部は電信柱１０６や地中に敷設されている。
【００１６】
図２に、局側通信装置１０１の内部構成図を示す。図２において、局側通信装置１０１は、光ファイバー１０４が接続されるＩＦユニット２０１、誤り訂正符号化(ＦＥＣ，Forward-Error Correction)された受信光信号を復号する受信側ＦＥＣユニット２０２、コアネットワーク網１０３と接続されるＳＮＩ（Service Node Interface）ユニット２０３、変調された受信光信号を復調する受信光変調ユニット２０４、通信に使用する帯域の割当てを行うＤＢＡ(Dynamic Bandwidth Allocation)ユニット２１１、送信信号に誤り訂正符号化を行う送信側ＦＥＣユニット２１２、光伝送路（光ファイバー１０４等）の通信品質を検出する光伝送路品質検出部２２１、光伝送路品質検出部２２１で検出された光伝送路の品質に基づいて変調方式を決定し受信光変調ユニット２０４に通知する変調方式判定・通知ユニット２２２、Ｄｉｓｃｏｖｅｒｙ  Ｈａｎｄｓｈａｋｅメッセージの交換等を行うＯＲＰ（Operation Packet Router）ユニット２３０から構成されている。また、ＯＰＲユニット２３０は、各加入者側通信装置の加入者契約内容であるＳＬＡ(Service Level Agreement)を記憶している。
【００１７】
図３に、加入者側通信装置１０２の内部構成図を示す。図３において、加入者側通信装置１０２は、光ファイバー１０４と接続されるＩＦユニット８０１、一般家庭内ネットワークと接続されるＵＮＩユニット８０３、誤り訂正符号化された受信光信号を復号する受信側ＦＥＣユニット８０２、局側通信装置からの通知に基づいて通信帯域を制御するＤＢＡユニット８１１、送信する光信号に誤り訂正符号化を行う送信側ＦＥＣユニット８１２、送信する光信号に変調を行う送信光変調ユニット８１４、局側通信装置１０１との制御メッセージ交換を行うＯＰＲユニット８３０で構成されている。
【００１８】
次に、動作について説明する。ここでは、例として、論理リンクを確立するために行うＤｉｓｃｏｖｅｒｙ  Ｈａｎｄｓｈａｋｅメッセージ交換において、光伝送路の通信品質を検出し、検出した通信品質に基づいて光変調方式を変更する場合について説明する。なお、上り方向（ＯＮＵ⇒ＯＬＴ）の通信についての適用例を示すが、下り方向であっても同様の方法を用いて本発明を適用することができる。
【００１９】
まず、Ｄｉｓｃｏｖｅｒｙ  Ｈａｎｄｓｈａｋｅメッセージ交換の全体の流れを、図４を引用して説明する。図４に、局側通信装置１０１と、加入者側通信装置１０２との間で、通信を始める際に行うＤｉｓｃｏｖｅｒｙ  Ｈａｎｄｓｈａｋｅメッセージ交換についてのシーケンス図を示す。図４おいて、加入者側通信装置１０２は１．Ｄｉｓｃｏｖｅｒｙ  Ｇａｔｅフレームを受信し、それに対する応答として２．Ｒｅｇｉｓｔｅｒ  Ｒｅｑｕｅｓｔフレームを局側通信装置ＯＬＴへ送信して、論理リンク確立を要求する。局側通信装置では、論理リンクリクエストに応じて論理リンクユーザ識別番号（ＬＬＩＤ：Logical Link IDentification number）を予約する。そのＬＬＩＤを３．Ｒｅｇｉｓｔｅｒフレームに入れて、４．Ｇａｔｅフレームとともに加入者側通信装置へ通知する。その後、加入者側通信装置からＲｅｇｉｓｔｅｒ  ＡＣＫフレーム送信し、局側通信装置でそのフレームを受信した時点で論理リンク確立となる。
【００２０】
実施の形態１に示す光通信システムでは、光伝送路の通信品質の検出処理を行い、検出した通信品質に基づいて光変調方式を変更するか否かの判定処理を行う。また、変調方式を変更すると判断した場合に、光信号の変調方式の変更処理を行う。まず、光伝送路の通信品質の検出処理について説明する。光伝送路の通信品質の検出処理は、Ｄｉｓｃｏｖｅｒｙ  Ｈａｎｄｓｈａｋｅメッセージ交換において、局側通信装置１０１が受信した２．Ｒｅｇｉｓｔｅｒ  Ｒｅｑｕｅｓｔフレームから算出する。以下に、その詳細について説明する。
【００２１】
局側通信装置１０１から、１．Ｄｉｓｃｏｖｅｒｙ  Ｇａｔｅフレームが加入者側通信装置に送信された場合、局側通信装置１０１内のＯＰＲユニット２３０では、変調方式判定・通知ユニット２２２に対して、２．Ｒｅｇｉｓｔｅｒ＿Ｒｅｑｕｅｓｔフレームを受信することが可能な時間であるＤｉｓｃｏｖｅｒｙ  Ｗｉｎｄｏｗ時間についての情報を通知する。
【００２２】
図５に、Ｄｉｓｃｏｖｅｒｙ  Ｗｉｎｄｏｗ時間についての情報を通知された変調方式判定・通知ユニット２２２が行う処理フローを示す。変調方式判定・通知ユニット２２２では、ＯＰＲユニット２３０により通知された情報に基づいて、現在時刻がＤｉｓｃｏｖｅｒｙ  Ｗｉｎｄｏｗ時間であると判定すれば（ステップＳ１）、受信光変調ユニット２０４に対して、受信変調が２値であることを通知し（ステップＳ２）、それ以外の時間帯であれば後述するＤＢＡユニット２１１からの変調指示を転送する（ステップＳ３）。受信変調が２値であることを通知された受信光変調ユニット２０４では、受信光信号を復調する位相を２値に設定し、加入者側通信装置１０２から通知された２．Ｒｅｇｉｓｔｅｒ  ＲｅｑｕｅｓｔをＩＦユニット２０１から受け取りデータ信号へ変換する。
【００２３】
局側通信装置１０１で２．Ｒｅｇｉｓｔｅｒ  Ｒｅｑｕｅｓｔフレームを受信した場合、光伝送路品質検出ユニット２２１は、ＩＦユニット２０１で受信した２．Ｒｅｇｉｓｔｅｒ  ＲｅｑｕｅｓｔフレームのＴｉｍｅｓｔａｍｐフィールドから抽出したＲＴＴ情報、ならびに２．Ｒｅｇｉｓｔｅｒ  Ｒｅｑｕｅｓｔフレームを送信した加入者側通信装置からのバースト光強度情報、また受信ＦＥＣユニット２０２で復号する際の誤り訂正数等のＦＥＣ訂正情報（例えば、ＦＥＣブロック訂正数、ＦＥＣバイト訂正数、ＦＥＣビット訂正数、ＦＥＣ  Ｓｙｎｃ  Ｈｅａｄｅｒ誤り数等）、またはＦＥＣ訂正情報を入力パラメータとして任意アルゴリズムによって算出された値を、伝送路の通信品質を表す伝送路品質情報として収集する。光伝送路品質検出ユニット２２１で収集された伝送路品質情報は、変調方式判定・通知ユニット２２２、およびＯＰＲユニット２３０に通知される。
【００２４】
次に、光変調を変更するかどうか、および、その多値変調の多値化数の選定についての判断処理フローについて図６を参照して説明する。ここでは、Ｒｅｇｉｓｔｅｒ  Ｒｅｑｕｅｓｔを受信しているので（ステップＳ４）、ＯＰＲユニット２３０は、変調方式判定・通知ユニット２２２から通知された伝送路品質情報を用いて、保持する伝送路品質情報を更新する(ステップＳ５)。また、任意のアルゴリズムを使用して算出した伝送路品質情報との比較情報を生成・更新し、変調方式判定・通知ユニット２２２に通知する。ここで、比較情報とは、例えばＦＥＣ訂正情報などの伝送路品質がどのくらいの数値となった場合に変調方式を変更するかのしきい値を示すものであり、ＳＬＡ等に基づいて予め作成しておく。
【００２５】
次に、伝送路品質情報と比較情報とを比較し(ステップＳ６)、伝送路品質情報が比較情報より大きい場合、すなわち、伝送品質が一定値より悪い場合に、該当する光伝送路に対応する加入者側通信装置１０２へ、上りバースト送信時に光変調を変更して送信することを３．Ｒｅｇｉｓｔｅｒフレームに記載して送信する(ステップＳ７)。
【００２６】
ここで、例えば、光伝送路の通信品質に対応する多値化数を予めデータベースとして保有しておき、または、光伝送路の通信品質から最適な多値化数を算出するプログラムまたは計算式を準備しておくことにより、変調方式判定・通知ユニット２２２において最適な多値化数を算出し、３．Ｒｅｇｉｓｔｅｒフレームに記載して送信する(ステップＳ７)。また、ＤＢＡユニット２１１に対して、光変調方式を変更すること、および、変更する多値化値を指示する(ステップＳ８)。以上のように、伝送路品質検出部により検出された通信品質に基づいて、光変調方式に変更を行うかどうか、およびその多値変調の多値化数を決定する。
【００２７】
次に、加入者側通信装置１０２における、選定された変調方式を用いて行う光信号の変調処理について説明する。図７は、Ｄｉｓｃｏｖｅｒｙ  Ｈａｎｄｓｈａｋｅ完了後の、局側通信装置１０１と複数の加入者側通信装置１０２との間で上りバーストフレームを送受信する時の光変調方式変更の切り替え例を示す図であるである。図６において、Ｄｉｓｃｏｖｅｒｙ  Ｈａｎｄｓｈａｋｅ完了後に、ＤＢＡユニット２１１では、加入者側通信装置１０２からの通知されるＲｅｐｏｒｔフレーム内の上りデータ滞留情報から、送信継続時間（Ｇｒａｎｔ  Ｌｅｎｇｔｈ）と、他の加入者側通信装置と時間的に衝突がなく送信できるように調停した送信開始時刻（Ｇｒａｎｔ  Ｓｔａｒｔ  Ｔｉｍｅ）を算出する。算出したＧｒａｎｔ  ＬｅｎｇｔｈおよびＧｒａｎｔ  Ｓｔａｒｔ  Ｔｉｍｅは、Ｇａｔｅフレームにより加入者側通信装置へ送信される。この時、ＤＢＡユニット２１１では、ＯＰＲユニット２３０に記憶されたＳＬＡに基づいて、加入者側通信装置ごとの契約等により定められた最低保障帯域等を考慮した帯域制御を行う。すなわち、加入者側通信装置ごとに通信速度の制御を行う。ここでは、帯域割当の例として、送信開始時刻および送信継続時間を制御する場合について示したが、例えば、周波数帯域の割当てを制御したり、また、割り当てるサブキャリア数を制御したりするような構成としてもよい。
【００２８】
ＤＢＡユニット２１１は、該当Ｇｒａｎｔ  Ｓｔａｒｔ  ＴｉｍｅからＧｒａｎｔ  Ｌｅｎｇｔｈ時間までの間に、光変調方式を変更することを変調方式判定・通知ユニット２２２に指示する。図８は、加入者側通信装置１０２から送信される上りバーストと、Ｇｒａｎｔ  Ｓｔａｒｔ  Ｔｉｍｅ、Ｇｒａｎｔ  Ｌｅｎｇｔｈの関係図である。各ＯＮＵは、通知されたＧｒａｎｔ  Ｓｔａｒｔ  Ｔｉｍｅから、Ｇｒａｎｔ  Ｌｅｎｇｔｈだけ、信号を送信することができる。
【００２９】
また、局側通信装置１０１から送信されたＲｅｇｉｓｔｅｒフレームを受信した加入者側通信装置１０２は、ＯＰＲユニット８３０で終端し、受信したＲｅｇｉｓｔｅｒフレームに記載している光変調方式を取得する。取得した光変調方式を送信光変調ユニット８１４へ局側通信装置１０１から受信したＧａｔｅフレームに指示されているＧｒａｎｔ  Ｓｔａｒｔ  Ｔｉｍｅからバースト送信を開始する時に光変調をおこない、光通信路の通信品質に応じてより適切な多値化数の変調方式を用いて光信号を送信する。
【００３０】
以上のように、本発明の実施の形態１に係る光通信システムによれば、Ｄｉｓｃｏｖｅｒｙ  Ｈａｎｄｓｈａｋｅメッセージ交換において検出した光伝送路の通信品質にあわせて、光変調方式を変更することができ、光伝送路の通信品質にあった適切な通信速度で通信を行うことできる。また、帯域向上分を伝送情報の冗長化分として利用すれば、伝送品質を向上することもできる。なお、ＰＯＮシステムでは、端末は一か所に据え付けの形態であるため、一旦品質情報を入手できればほぼ変化することはなく、論理リンク確立のためのＤｉｓｃｏｖｅｒｙ  Ｈａｎｄｓｈａｋｅメッセージ交換において通信品質情報を取得することにより、新たな工程を増やすことなく効率よく適切な変調方式の選定を行うことができる。
【００３１】
ここでは、上り方向（ＯＮＵ⇒ＯＬＴ）の通信についての適用例を示したが、同様の方法で下り方向（ＯＬＴ⇒ＯＮＵ）の通信についても適用できる。その場合は、局側通信装置１０１に送信側変調ユニット８１４、加入者側通信装置に受信側復調ユニット２０４と同様の装置を設ける必要がある。また、光伝送路品質検出部を局側通信装置に設けた場合について示したが、加入者側通信装置に設け、局側通信装置から加入者側通信相に転送された光信号から光伝送路の品質を検出する構成としてもよい。
【００３２】
実施の形態２.
実施の形態１では、Ｄｉｓｃｏｖｅｒｙ  Ｈａｎｄｓｈａｋｅメッセージ光変調方式を変更する場合について説明したが、実施の形態２では、Ｄｉｓｃｏｖｅｒｙ  Ｈａｎｄｓｈａｋｅメッセージ交換後に、光変調方式を変更する場合について述べる。
【００３３】
実施の形態２に係る光通信システムの構成は、実施の形態１に示す場合と同様であり、説明を省略する。次に動作について説明する。論理リンクを確立するために行うＤｉｓｃｏｖｅｒｙ  Ｈａｎｄｓｈａｋｅメッセージ交換の全体の流れについては、実施の形態１に示す場合と同様である。図９は、本実施の形態２に係るＰＯＮにおける適用変調方式を説明するための図であり、Ｄｉｓｃｏｖｅｒｙ  Ｈａｎｄｓｈａｋｅ後の該当加入者側通信装置１０２に対するＯＰＲユニット３２０での処理フローである。
【００３４】
Ｄｉｓｃｏｖｅｒｙ  Ｈａｎｄｓｈａｋｅメッセージ交換が完了した場合に、ＯＰＲユニット２３０では、加入者側通信装置１０２から送信される信号の通信品質を常時検出し、光伝送路品質情報を更新する（ステップＳ１０）。また、得られた光伝送路品質情報と比較情報と比較し（ステップＳ１１）、変調方式を変更するか否かの決定、および、変更する多値変調の多値化数を選定する。選定された変調方式を拡張ＭＰＣＰ（Multi-Point Control Protocol）、もしくはＯＡＭ（Operations，Administration，Maintenance）フレームを使用して、加入者側通信装置１０２へ送信光変調方式の変更を指示する（ステップＳ１２）。また、選択された変調方式を受信ＤＢＡユニット２１１に通知し、受信変調方式の変更を指示する（ステップＳ１３）。ここで、受信ＤＢＡユニット２１１に通知することで、Ｇａｔｅフレームに送信光変調方式を変更する指示を伝えることようにしてもよい。変調方式の変更を通知された加入者側通信装置１０２では、実施の形態１の場合と同様に、送信する信号の変調方式を変更し、光信号を送信する。
【００３５】
また、加入者側通信装置１０２におけるキューのデータ滞留状況に基づいて変調方式を変更する構成としてもよい。すなわち、加入者側通信装置１０２において、ＯＰＲユニット８３０で、ＤＢＡユニット８１１に設けられたバッファ内に滞留するデータ量を計測し、計測したデータ滞留量に基づいて変調方式を変更することの要否を判断する。すなわち、データ滞留量が一定値以上、または、一定値以下となった場合に、変調方式を変更要と判断し、変調方式の変更要求信号を作成、すなわち、Ｒｅｐｏｒｔメッセージに変更要求信号を埋め込み、局側通信装置１０１に対して送信する。この変更要求信号が埋め込まれたＲｅｐｏｒｔメッセージを送信することにより局側通信装置１０１に対して加入者側通信装置１０２から、変調方式の変更要求が行われる。
【００３６】
変調方式の変更要求信号を受信した局側通信装置１０１では、常時更新している光伝送路品質情報に基づいて最適な変調方式を選定する。例えば、加入者側通信装置１０２において、データ滞留量が一定値以上となり変調方式の変更要求が行われた場合、局側通信装置１０１が光伝送路品質情報から、多値化数を増やすのに十分な光伝送路の通信品質であると判断した場合、局側通信装置１０１は多値化数を増やす変更を行う。なお、変更要求信号を受信した場合であっても、多値化数を増やすのに十分な光伝送路の通信品質でない場合（現状の多値化値が最適である場合）には変調方式の変更は行わない。
【００３７】
選定した変調方式を、実施の形態１に示す場合と同様に加入者側通信装置１０２へ通知する。変調方式を通知された加入者側通信装置１０２では、実施の形態１に示す場合と同様に変調方式を変更して、局側通信装置１０１との通信を行う。これにより、加入者側通信装置におけるキューの滞留状態に合わせて、適切な変調方式を用いて通信を行うことができる。
【００３８】
以上のように実施の形態２によれば、Ｄｉｓｃｏｖｅｒｙ  Ｈａｎｄｓｈａｋｅメッセージ交換後においても、光伝送路の通信品質にあわせて、光変調方式を変更することができ、光伝送路の通信品質にあった適切な通信を行うことできる。また、加入者側通信装置におけるキューの滞留状態に合わせて、適切な変調方式を用いて通信を行うことができる。
【００３９】
以上の各実施の形態では、光通信システムとして、ＰＯＮシステムを例にとして記載したが、この発明は、ＰＯＮシステムに限定される事はなく、発明の本質を逸脱しない限り、所謂、広く、光通信システムであれば、適用できる。また、上記各実施の形態は、齟齬がない限り、各実施の形態を相互に組み合わせてもよいことはいうまでもない。
【符号の説明】
【００４０】
１００  局舎、１０１  局側通信装置、１０２  加入者側通信装置、１０３  コアネットワーク、１０４  光ファイバー、１０５  光スプリッター、１０６  電信柱、１１１  一般家庭、１１２  ビル、２０１  ＩＦユニット、２０２  受信側ＦＥＣ復号ユニット、２０３  ＳＮＩユニット、２０４  受信光変調ユニット、２１１  ＤＢＡユニット、２１２  送信側ＦＥＣユニット、２２１  光伝送路品質検出部、２２２  変調方式判定・通知ユニット、２３０  ＯＲＰユニット、８０１  ＩＦユニット、８０３  ＵＮＩユニット、８０２  受信側ＦＥＣユニット、８１１  ＤＢＡユニット、８１２  送信側ＦＥＣユニット、８１４  送信光変調ユニット、８３０  ＯＰＲユニット
【図１】
0005682249.tif 000002
【図２】
0005682249.tif 000003
【図３】
0005682249.tif 000004
【図４】
0005682249.tif 000005
【図５】
0005682249.tif 000006
【図６】
0005682249.tif 000007
【図７】
0005682249.tif 000008
【図８】
0005682249.tif 000009
【図９】
0005682249.tif 000010